(57)【要約】【課題】電圧の印加時間が各々異なる直流電圧が液晶を有する表示層に印加されても、表示層の反射状態を変えずに、表示層におけるイオンの偏在を抑える。【解決手段】スタイラスペンがタッチパネル２００に触れると、スタイラスペンの触れた位置の下方にあるコレステリック液晶の配向状態をフォーカルコニック相にするため、スタイラスペンが触れている間に正極性の直流電圧を導電層２０２Ａ〜２０２Ｄに印加する。スタイラスペンが離れると、正極性の直流電圧の印加が終了してから一定時間が経過した後、負極性の直流電圧を導電層２０２Ａ〜２０２Ｄに印加する。負極性の直流電圧を印加する際には、負極性の直流電圧の電圧値と印加時間の積が正極性の直流電圧の電圧値と印加時間の積と同じとなるように印加時間を制御する。【選択図】図２
2011118199.tif 000002
【特許請求の範囲】
【請求項１】
印加される電圧に応じて光を反射する反射状態または光を透過する透過状態に変化する液晶を有する表示層と、前記表示層を挟んで位置し、電圧が外部から供給される一対の導電層と、前記一対の導電層の間に位置し、光が照射されると該光が照射された部分に対応した前記表示層の部分に分圧される電圧を増加させる感光層とを有する表示媒体の前記導電層に電圧を印加する電圧印加手段と、
前記表示媒体の前記感光層に光を照射する光照射手段と、
前記光照射手段から前記感光層へ光を照射するときには前記電圧印加手段から第１極性の直流電圧が前記導電層に印加されるように前記電圧印加手段を制御し、前記第１極性の直流電圧の印加が終了して一定時間が経過した後、前記第１極性とは逆の第２極性の直流電圧が前記表示層の反射状態または透過状態を維持するように前記電圧印加手段を制御する制御手段と
を有する書込装置。
【請求項２】
前記制御手段は、前記第１極性の直流電圧の電圧値および印加時間に応じて前記第２極性の直流電圧の印加時間を制御することを特徴とする請求項１に記載の書込装置。
【請求項３】
前記制御手段は、前記第１極性の直流電圧の電圧値および印加時間に応じて前記第２極性の直流電圧の電圧値を制御することを特徴とする請求項１に記載の書込装置。
【請求項４】
前記制御手段は、前記第１極性の直流電圧の電圧値および印加時間に応じて前記第２極性の直流電圧の電圧値と印加時間の両方を制御することを特徴とする請求項１に記載の書込装置。
【請求項５】
印加される電圧に応じて光を反射する反射状態または光を透過する透過状態に変化する液晶を有する表示層と、前記表示層を挟んで位置し、電圧が外部から供給される一対の導電層と、前記一対の導電層の間に位置し、光が照射されると該光が照射された部分に対応した前記表示層の部分に分圧される電圧を増加させる感光層とを有する表示媒体の前記導電層に電圧を印加する電圧印加手段と、
前記表示媒体の前記感光層に光を照射する光照射手段と、
前記表示層の状態を透過状態に変化させるときには前記電圧印加手段から第１極性の直流電圧が前記導電層に印加されるように前記電圧印加手段を制御し、前記第１極性の直流電圧の印加が終了して一定時間が経過した後、前記光照射手段から前記感光層へ光が照射されるように前記光照射手段を制御する制御手段と
を有する書込装置。
【請求項６】
前記制御手段は、前記第１極性の直流電圧の電圧値および印加時間に応じて前記光照射手段から前記感光層へ照射される光の光量を制御することを特徴とする請求項５に記載の書込装置。
【請求項７】
前記制御手段は、前記第１極性の直流電圧の電圧値および印加時間に応じて前記光照射手段から前記感光層へ照射される光の照射時間を制御することを特徴とする請求項５に記載の書込装置。
【請求項８】
前記制御手段は、前記第１極性の直流電圧の電圧値および印加時間に応じて前記光照射手段から照射される光の照射時間と光量の両方を制御することを特徴とする請求項５に記載の書込装置。
【発明の詳細な説明】
【技術分野】
【０００１】
本発明は、書込装置に関する。
【背景技術】
【０００２】
一対の電極の間にコレステリック液晶の層と有機感光体の光導電層とを有する光記録素子に画像を表示させる装置として、例えば特許文献１に開示された駆動装置がある。この駆動装置は、電極にパルスを印加する際に、正極性のパルスの前後に振幅の絶対値が正極性のパルスより小さい負極性のパルスを印加する。この駆動装置によれば、直流駆動時に液晶層において生じるイオンの偏在を緩和することができる。
また、コレステリック液晶の層と有機感光体の光導電層とを有する表示媒体に対してペンで画像を追記する技術が特許文献２に開示されている。この技術によれば、使用者がペンで文字や手書きの絵を追記することができる。
【先行技術文献】
【特許文献】
【０００３】
【特許文献１】特開２００４−１２５６９号公報
【特許文献２】特開２００５−３２１７３６号公報
【発明の概要】
【発明が解決しようとする課題】
【０００４】
本発明は、電圧の印加時間が各々異なる直流電圧が液晶を有する表示層に印加されても表示層の反射状態を変えずに、表示層におけるイオンの偏在を抑えることを目的とする。
【課題を解決するための手段】
【０００５】
本発明の請求項１に係る書込装置は、印加される電圧に応じて光を反射する反射状態または光を透過する透過状態に変化する液晶を有する表示層と、前記表示層を挟んで位置し、電圧が外部から供給される一対の導電層と、前記一対の導電層の間に位置し、光が照射されると該光が照射された部分に対応した前記表示層の部分に分圧される電圧を増加させる感光層とを有する表示媒体の前記導電層に電圧を印加する電圧印加手段と、前記表示媒体の前記感光層に光を照射する光照射手段と、前記光照射手段から前記感光層へ光を照射するときには前記電圧印加手段から第１極性の直流電圧が前記導電層に印加されるように前記電圧印加手段を制御し、前記第１極性の直流電圧の印加が終了して一定時間が経過した後、前記第１極性とは逆の第２極性の直流電圧が前記表示層の反射状態または透過状態を維持するように前記電圧印加手段を制御する制御手段とを有する。
【０００６】
本発明の請求項２に係る書込装置は、請求項１に記載の構成において、前記制御手段は、前記第１極性の直流電圧の電圧値および印加時間に応じて前記第２極性の直流電圧の印加時間を制御する構成を有する。
【０００７】
本発明の請求項３に係る書込装置は、請求項１に記載の構成において、前記制御手段は、前記第１極性の直流電圧の電圧値および印加時間に応じて前記第２極性の直流電圧の電圧値を制御する構成を有する。
【０００８】
本発明の請求項４に係る書込装置は、請求項１に記載の構成において、前記制御手段は、前記第１極性の直流電圧の電圧値および印加時間に応じて前記第２極性の直流電圧の電圧値と印加時間の両方を制御する構成を有する。
【０００９】
本発明の請求項５に係る書込装置は、印加される電圧に応じて光を反射する反射状態または光を透過する透過状態に変化する液晶を有する表示層と、前記表示層を挟んで位置し、電圧が外部から供給される一対の導電層と、前記一対の導電層の間に位置し、光が照射されると該光が照射された部分に対応した前記表示層の部分に分圧される電圧を増加させる感光層とを有する表示媒体の前記導電層に電圧を印加する電圧印加手段と、前記表示媒体の前記感光層に光を照射する光照射手段と、前記表示層の状態を透過状態に変化させるときには前記電圧印加手段から第１極性の直流電圧が前記導電層に印加されるように前記電圧印加手段を制御し、前記第１極性の直流電圧の印加が終了して一定時間が経過した後、前記光照射手段から前記感光層へ光が照射されるように前記光照射手段を制御する制御手段とを有する。
【００１０】
本発明の請求項６に係る書込装置は、請求項５に記載の構成において、前記制御手段は、前記第１極性の直流電圧の電圧値および印加時間に応じて前記光照射手段から前記感光層へ照射される光の光量を制御する構成を有する。
【００１１】
本発明の請求項７に係る書込装置は、請求項５に記載の構成において、前記制御手段は、前記第１極性の直流電圧の電圧値および印加時間に応じて前記光照射手段から前記感光層へ照射される光の照射時間を制御する構成を有する。
【００１２】
本発明の請求項８に係る書込装置は、請求項５に記載の構成において、前記制御手段は、前記第１極性の直流電圧の電圧値および印加時間に応じて前記光照射手段から照射される光の照射時間と光量の両方を制御する構成を有する。
【発明の効果】
【００１３】
本発明の請求項１に係る発明によれば、電圧の印加時間が各々異なる直流電圧が表示層に印加されても、表示層の反射状態を変えずに、表示層におけるイオンの偏在を抑えることが可能である。
請求項２に係る発明によれば、表示層の反射状態を変えずに、第１極性の直流電圧によって生じるイオンの偏在に応じて、第２極性の直流電圧の印加時間を抑えることが可能である。
請求項３に係る発明によれば、表示層の反射状態を変えずに、第１極性の直流電圧によって生じるイオンの偏在に応じて、印加する第２極性の直流電圧を抑えることが可能である。
請求項４に係る発明によれば、表示層の反射状態を変えずに、第１極性の直流電圧によって生じるイオンの偏在に応じて、印加する第２極性の直流電圧と印加時間を抑えることが可能である。
【００１４】
本発明の請求項５に係る発明によれば、電圧の印加時間が各々異なる直流電圧が表示層に印加されても、表示層の反射状態を変えずに、表示層におけるイオンの偏在を抑えることが可能である。
本発明の請求項６に係る発明によれば、表示層の反射状態を変えずに、光照射手段から照射する光の光量をイオンの偏在に応じて抑えることができる。
本発明の請求項７に係る発明によれば、表示層の反射状態を変えずに、光照射手段から照射する光の照射時間をイオンの偏在に応じて抑えることができる。
本発明の請求項８に係る発明によれば、表示層の反射状態を変えずに、光照射手段から照射する光の光量と照射時間をイオンの偏在に応じて抑えることができる。
【図面の簡単な説明】
【００１５】
【図１】本発明の一実施形態に係る書込装置と表示装置の外観図。
【図２】表示媒体２１の断面の模式図。
【図３】表示層全体に印加される電圧と表示層における光の正規化反射率との関係を示した図。
【図４】書込装置１の内部の模式図。
【図５】書込装置１のハードウェア構成を示したブロック図。
【図６】端子２０３Ａ〜２０４Ｄに印加される電圧の波形を示した図。
【図７】スタイラスペン３の位置と液晶ディスプレイ１０２Ａの発光位置の関係を説明するための図。
【図８】表示媒体２１Ａの断面の模式図。
【図９】表示層２０４全体に印加される電圧と表示層２０４における光の正規化反射率との関係を示した図。
【図１０】端子２０３Ａ〜２０４Ｄに印加される電圧の波形と、感光層への光の照射期間を示した図。
【発明を実施するための形態】
【００１６】
［第１実施形態］
（全体構成）
図１は、本発明の一実施形態に係る書込装置１、表示装置２およびスタイラスペン３の外観を示した図である。表示装置２は、照明器具の光や太陽光などの外光を反射して画像の表示を行う反射型の表示装置である。表示装置２は、板状の形状をしており、コレステリック液晶を有する表示層と、光に反応して電荷を発生する有機光導電体を有する感光層、および表示層と感光層を挟んだ導電層が積層された表示媒体２１を備えている。表示装置２は、導電層に電圧が印加されている状態で書込装置１よって光が照射されると、光が照射された位置にあるコレステリック液晶の配向状態が変化する。光の照射位置を制御することでコレステリック液晶が外光を透過する部分と外光を反射する部分とに分かれて画像が表示される。
【００１７】
スタイラスペン３は、ペンなどの筆記具と同様の形状であり、表示媒体２１に手書きの画像の追記を行う際に操作子として使用される。書込装置１は、表示媒体２１に画像を書き込む装置である。書込装置１は、表示装置２の導電層と電気的に接続される端子と、表示装置２の表示媒体２１に光を照射する光照射部を備えており、端子を介して表示装置２の導電層に電圧を印加しつつ表示装置２に対して光を照射し、表示装置２に画像を表示させる。
【００１８】
（表示装置２の構成）
図２は、表示装置２が有する表示媒体２１の断面を模式的に示した図である。表示媒体２１は、基板層、導電層、表示層、着色層、感光層及びラミネート層を積層した構成となっており、各層の形状は矩形となっている。また、表示媒体２１の表面にはタッチパネル２００が配置されている。図２に示したように、タッチパネル２００が配置されている側が、使用者が画像を視認する側（表示面側）となっている。また、基板層２０１Ｃが配置されている側が、書込装置１から出力された光が照射される側（被照射側）となっている。
【００１９】
透明なタッチパネル２００は、表面に物体が触れると触れた位置を示す位置信号を出力する装置であり、位置信号を出力する端子２００Ａが接続されている。タッチパネル２００の表面にスタイラスペン３の先端が触れると、スタイラスペン３が触れた位置を示す位置信号が端子２００Ａから出力される。
【００２０】
基板層２０１Ａ，２０１Ｂ，２０１Ｃは、画像を表示する部分の保護や形状の保持を行う層であり、基板層２０１Ｃは表示装置２の表面に露出している。また、基板層２０１Ｂは、導電層２０２Ｂと導電層２０２Ｃとの間を絶縁する役割を果たしている。なお、本実施形態においては、各基板層は光を透過するポリエチレンテレフタレートで形成されているが、各基板層の素材は、ポリエチレンテレフタレートに限定されるものではなく、透明性及び絶縁性を有するのであれば他の素材であってもよい。
【００２１】
導電層２０２Ａ，２０２Ｂ，２０２Ｃ，２０２Ｄは、本実施形態においては酸化インジウムスズで形成されており、透明で光を透過し、且つ導電性を有する層である。なお、各導電層は、透明で光を透過して導電性を有するのであれば、その素材は酸化インジウムスズに限定されず、他の素材であってもよい。導電層２０２Ａは、基板層２０１Ａの被照射側に接しており、導電層２０２Ｂは基板層２０１Ｂの表示面側に接している。また、導電層２０２Ｃは、基板層２０１Ｂの被照射側に接しており、導電層２０２Ｄは基板層２０１Ｃの表示面側に接している。また、導電層２０２Ａには端子２０３Ａが接続され、導電層２０２Ｂには端子２０３Ｂが接続されており、導電層２０２Ｃには端子２０３Ｃが接続され、導電層２０２Ｄには端子２０３Ｄが接続されている。端子２０３Ａ〜２０３Ｄは、書込装置１から電圧が印加される端子であり、表示装置２の表面に露出するように配置されている。
【００２２】
導電層２０２Ａの被照射側に接している表示層２０４Ｂ、表示層２０４Ｂの被照射側に接している表示層２０４Ｇ、および導電層２０２Ｃの被照射側に接している表示層２０４Ｒは、コレステリック液晶や光を透過する樹脂など複数の材料からなる層であり、樹脂の中にコレステリック液晶が分散した構成となっている。コレステリック液晶は、液晶分子がらせん状に捩れて配向しており、電場によって配向が変化し、特定の波長の光を反射する状態又は光を透過する状態に変化する。なお、本実施形態においては、表示層２０４Ｂのコレステリック液晶は青の光（波長が４００ｎｍ〜５００ｎｍの範囲内の光）を反射し、表示層２０４Ｇのコレステリック液晶は緑の光（波長が５００ｎｍ〜６００ｎｍの範囲内の光）を反射し、表示層２０４Ｒのコレステリック液晶は赤の光（波長が６００ｎｍ〜７００ｎｍの範囲内の光）を反射するように調整されているが、各表示層が反射する光は上述のものに限定されるものではない。表示層毎に各々異なる予め定められた波長帯の光を反射するように、コレステリック液晶の材料を選択してもよい。また、各表示層に用いられている樹脂は、コレステリック液晶を保持し、液晶の流動（画像の変化）を抑制する機能を有するものであり、液晶材料に溶解せず、また液晶と相溶しない液体を溶剤とする高分子材料が用いられている。また、各表示層に用いられている樹脂は、外力に耐える強度をもち、光に対して透過性を示す。
【００２３】
導電層２０２Ｂの表示面側に接している感光層２０５Ｒと、導電層２０２Ｄの表示面側に接している感光層２０５ＢＧは、本実施形態においては、電荷を発生する電荷発生層２０５１，２０５３と電荷を輸送する電荷輸送層２０５２を有し、電荷発生層２０５１、電荷輸送層２０５２、電荷発生層２０５３の順で積層された構造となっている。各感光層は、光が照射されると光が照射された部分の抵抗値が低下する。表示層と感光層を挟む導電層に印加される電圧は、表示層と感光層とに分圧されるが、感光層の抵抗値が低下すると分圧比が変化して表示層に掛かる電圧が増加する。なお、本実施形態においては、感光層２０５Ｒの電荷発生層は、赤色の電荷発生物質（一例としてジブロモアントアントロン）を有しており、青〜緑色の光を吸収する。また、感光層２０５ＢＧの電荷発生層は、青色と緑色の電荷発生物質（一例としてチタニルフタロシアニン）を有しており、赤色の光を吸収する。
【００２４】
感光層２０５Ｒの表示面側に接して位置する着色層２０６Ｒは、感光層２０５Ｒの電荷発生層が吸収する光の波長と同じ波長の光を吸収する層であり、無機顔料、または有機染料や有機顔料により、表示層２０４Ｂ、２０４Ｇが反射する光の補色に着色されている。また、感光層２０５ＢＧの表示面側に接して位置する着色層２０６ＢＧは、感光層２０５ＢＧの電荷発生層が吸収する光の波長と同じ波長の光を吸収する層であり、無機顔料、または有機染料や有機顔料により、表示層２０４Ｒが反射する光の補色に着色されている。
【００２５】
着色層２０６Ｒと表示層２０４Ｇの間と、着色層２０６ＢＧと表示層２０４Ｒの間にあるラミネート層２０７は、表示層を着色層に貼りあわせる際に、凹凸の吸収および接着の役割を果たす目的で設けられる層である。ラミネート層２０７は、ガラス転移点の低い高分子材料からなるものであり、熱や圧力によって表示層と感光層とを密着・接着させることができる材料が選択される。また、少なくとも入射する光に対して透過性を有する。ラミネート層２０７に用いられる材料としては、粘着性の高分子材料（例えばウレタン樹脂、エポキシ樹脂、アクリル樹脂、シリコーン樹脂）を挙げることができる。
【００２６】
これらの各層が積層された表示媒体２１において、表示層にあるコレステリック液晶は、電圧が印加される前の初期状態がプレーナ相である場合には、印加される電圧の増加に伴ってプレーナ相、フォーカルコニック相、ホメオトロピック相の順番に変化し、初期状態がフォーカルコニック相である場合には、印加される電圧の増加に伴ってフォーカルコニック相、ホメオトロピック相の順番に変化する。そして、フォーカルコニック相の状態で電圧が除去されると、コレステリック液晶はフォーカルコニック相の状態を保持し、ホメオトロピック相の状態で電圧が除去されると、コレステリック液晶はホメオトロピック相からプレーナ相に変化し、プレーナ相の状態を保持する。
【００２７】
図３（ａ）と図３（ｂ）は、導電層と感光層を介して表示層全体に印加される電圧と表示層における光の正規化反射率との関係を示した図である。図３（ａ）の曲線Ｒは、印加される電圧と表示層２０４Ｒにおける光の正規化反射率との関係を示したものである。また、図３（ｂ）の曲線Ｇは、印加される電圧と表示層２０４Ｇにおける光の正規化反射率との関係を示したものであり、図３（ｂ）の曲線Ｂは、印加される電圧と表示層２０４Ｂにおける光の正規化反射率との関係を示したものである。
【００２８】
表示層２０４Ｂにおいてプレーナ相からフォーカルコニック相へ変化する時の電圧の閾値をＶｂ１、フォーカルコニック相からホメオトロピック相へ変化する時の電圧の閾値をＶｂ２とすると、電圧除去前に導電層と感光層とを介して印加されている電圧がＶｂ２以上の場合、電圧除去後にコレステリック液晶はプレーナ相となって外光中の青の光を反射する。一方、電圧除去前に導電層と感光層とを介して印加されている電圧がＶｂ１とＶｂ２の間の電圧である場合には、電圧除去後にコレステリック液晶はフォーカルコニック相となって外光が透過する。
【００２９】
また、表示層２０４Ｇにおいてプレーナ相からフォーカルコニック相へ変化する時の電圧の閾値をＶｇ１、フォーカルコニック相からホメオトロピック相へ変化する時の電圧の閾値をＶｇ２とすると、電圧除去前に導電層と感光層とを介して印加されている電圧がＶｇ２以上の場合、電圧除去後にコレステリック液晶はプレーナ相となって外光中の緑の光を反射する。一方、電圧除去前に導電層と感光層とを介して印加されている電圧がＶｇ１とＶｇ２の間の電圧である場合には、電圧除去後にコレステリック液晶はフォーカルコニック相となって外光が透過する。
【００３０】
また、表示層２０４Ｒにおいてプレーナ相からフォーカルコニック相へ変化する時の電圧の閾値をＶｒ１、フォーカルコニック相からホメオトロピック相へ変化する時の電圧の閾値をＶｒ２とすると、電圧除去前に導電層と感光層とを介して印加されている電圧がＶｒ２以上の場合、電圧除去後にコレステリック液晶はプレーナ相となって外光中の赤色の光を反射する。一方、電圧除去前に導電層と感光層とを介して印加されている電圧がＶｒ１とＶｒ２の間の電圧である場合には、電圧除去後にコレステリック液晶はフォーカルコニック相となって外光が透過する。
【００３１】
このように、各表示層のコレステリック液晶は、印加される電圧がプレーナ相（またはフォーカルコニック相）からフォーカルコニック相へ変化する時の電圧の閾値（第１閾値（Ｖｒ１，Ｖｇ１，Ｖｂ１）：表示層の反射率が１０％となる時の電圧）を超えると、フォーカルコニック相に変化し、印加される電圧の電圧値がフォーカルコニック相からホメオトロピック相へ変化する時の電圧の閾値（第２閾値（Ｖｒ２，Ｖｇ２，Ｖｂ２）：表示層の反射率が９０％となる時の電圧）を超えると、ホメオトロピック相に変化する。
【００３２】
（書込装置１の構成）
図４は、書込装置１の内部の模式図であり、図５は、書込装置１のハードウェア構成を示したブロック図である。
光出力部１０２は、光を表示媒体２１に照射する機能を有している。光出力部１０２は、制御部１０１によって制御され、表示媒体２１の感光層２０５Ｒ，２０５ＢＧへ光を照射する。つまり、光出力部は、各感光層へ光を照射する光照射手段の一例である。具体的には、光出力部１０２は、赤、緑、青の三色で構成された画素を複数有する透過型の液晶パネルと、光源として機能するバックライトを備えた液晶ディスプレイ１０２Ａを備えている。バックライトから出力された光は、液晶パネルを透過し、液晶パネルの上方に固定される表示装置２の被照射側に照射される。なお、液晶ディスプレイ１０２Ａは、制御部１０１により制御されて光を出力する画素が制御される。
【００３３】
なお、本実施形態において制御部１０１は、タッチパネル２００から供給された位置信号が表す位置と、この位置に対応して光を出力する液晶ディスプレイ１０２Ａの画素の位置とを対応付けて予め記憶しており、タッチパネル２００からの位置信号を受け取ると、この位置信号が表す位置に対応する画素の位置を特定し、特定した画素から光が出力されるように液晶ディスプレイ１０２Ａを制御する。このため、表示装置２と書込装置１を電気的に接続する際には、表示装置２は書込装置１の予め定められた位置に固定される。
【００３４】
電圧印加部１０３は、端子２０３Ａに接続される端子と、端子２０３Ｂに接続される端子を備えており、これらの端子を用いて導電層２０２Ａ及び導電層２０２Ｂへ電圧を印加する回路を備えている。また、電圧印加部１０３は、端子２０３Ｃに接続される端子と、端子２０３Ｄに接続される端子を備えており、これらの端子を用いて導電層２０２Ｃ及び導電層２０２Ｄへ電圧を印加する。
【００３５】
インターフェース部１０５は、端子２００Ａに接続されてタッチパネル２００からの信号を受け取る端子を備えており、タッチパネル２００から出力された信号を制御部１０１へ供給する。
操作部１０６は、画像を表示する表示デバイス１０６Ａと、透明で表示デバイス１０６Ａの表面に配置されたタッチパネル１０６Ｂを備えている。表示デバイス１０６Ａは、例えば液晶ディスプレイであり、表示デバイス１０６Ａには、書込装置１を操作するための画面などが表示される。また、タッチパネル１０６Ｂは、使用者が触れた位置を示す信号を制御部１０１へ出力する。
【００３６】
制御部１０１は、ＣＰＵ（Central Processing Unit）、ＲＯＭ（Read Only Memory）、ＲＡＭ（Random Access Memory）、入力ポートおよび出力ポートなどを備えた、所謂マイクロコンピュータを有している。ＲＯＭには、各部を制御するための制御プログラムが記憶されている。制御部１０１は、ＣＰＵにより制御プログラムが実行されると、書込装置１の各部を制御する。また、制御部１０１において制御プログラムが実行されると、スタイラスペン３の位置を検知して手書きの画像を表示装置２に表示させる機能が実現する。
【００３７】
（実施形態の動作）
次に、本実施形態において、スタイラスペン３で手書きの画像を表示媒体２１に表示させる際の動作について説明する。まず、使用者により表示装置２が図１、図４に示したように書込装置１の予め定められた位置に載せられて固定され、電圧印加部１０３の端子と端子２０３Ａ〜２０３Ｄが電気的に接続されると共に、インターフェース部１０５と端子２００Ａが接続される。これにより、書込装置１から端子２０３Ａ〜２０３Ｄを介して導電層２０２Ａ〜２０２Ｄへ電圧を印加することが可能となる。また、タッチパネル２００から出力される信号を制御部１０１が受け取ることが可能となる。
【００３８】
次に表示媒体２１の画面を初期化する操作がタッチパネル１０６Ｂにおいて行われると、まず、制御部１０１は、電圧印加部１０３および光出力部１０２を制御して表示層２０４Ｂ、表示層２０４Ｇおよび表示層２０４Ｒのコレステリック液晶の配向状態をプレーナ相にする。
具体的には、まず、制御部１０１により液晶ディスプレイ１０２Ａが制御され、液晶ディスプレイ１０２Ａのバックライトが消灯される。次に、制御部１０１の制御の下、電圧印加部１０３が、交流のパルス状の電圧（以下、パルス電圧という）を端子２０３Ａと端子２０３Ｂに対して印加する。ここで、表示層２０４Ｂと表示層２０４Ｇに分圧される電圧は、Ｖｇ２以上の電圧になり、表示層２０４Ｂと表示層２０４Ｇの配向状態は、ホメオトロピック相になる。配向状態がホメオトロピック相になった後、導電層へのパルス電圧の印加が停止されると、表示層２０４Ｂ，２０４Ｇの配向状態はプレーナ相になる。これにより、表示層２０４Ｂは外光中の青の光を反射する状態となり、表示層２０４Ｇは、外光中の緑の光を反射する状態となる。また、制御部１０１の制御の下、電圧印加部１０３が、パルス電圧を端子２０３Ｃと端子２０３Ｄに対して印加する。ここで、表示層２０４Ｒに印加される電圧は、Ｖｒ２以上の電圧になり、表示層２０４Ｒの配向状態は、ホメオトロピック相になる。配向状態がホメオトロピック相になった後、パルス電圧の印加が停止されると、表示層２０４Ｒの配向状態はプレーナ相になり、表示層２０４Ｒは、外光中の赤の光を反射する状態となる。
【００３９】
次に使用者がタッチパネル１０６Ｂを操作し、手書きの画像の書き込み開始を指示する操作を行うと、制御部１０１は、タッチパネル２００から供給される位置信号に応じて電圧印加部１０３と光出力部１０２を制御する。
【００４０】
図６（ａ）は、電圧印加部１０３が端子２０３Ａ、２０３Ｂに印加する電圧の波形を示した図であり、図６（ｂ）は、電圧印加部１０３が端子２０３Ｃ、２０３Ｄに印加する電圧の波形を示した図である。
まず、使用者がスタイラスペン３をタッチパネル２００に接触させると、スタイラスペン３が触れた位置を示す位置信号がタッチパネル２００から出力され、この位置信号が制御部１０１に供給される。制御部１０１は、この位置信号を取得すると、電圧印加部１０３を制御し、表示層２０４Ｂ，２０４Ｇに分圧される電圧をＶｂ３にする正極性（第１極性）の直流電圧の印加を端子２０３Ａ、２０３Ｂに対して開始する（図６の時点ｔ１）。また、制御部１０１は、電圧印加部１０３を制御し、表示層２０４Ｒに印加される電圧をＶｒ３にする正極性の直流電圧の印加を端子２０３Ｃ，２０３Ｄに対して開始する（図６の時点ｔ１）。
【００４１】
また、制御部１０１は、位置信号に応じて液晶ディスプレイ１０２Ａを制御する。例えば、スタイラスペン３がタッチパネル２００において図７に示した点Ｐ１の位置に触れると、点Ｐ１の位置を示す位置信号が制御部１０１に供給される。制御部１０１は、この位置信号を基にして、液晶ディスプレイ１０２Ａにおいて点Ｐ１の下方にある画素Ｇ１を特定し、この画素Ｇ１から光が出力されるように液晶ディスプレイ１０２Ａを制御する。なお、画素Ｇ１は、本実施形態においては、コレステリック液晶の配向状態を変化させ、且つ配向状態を安定させるのに必要な時間だけ光を出力し、この時間が経過すると光の出力が停止されるように制御される。
【００４２】
液晶ディスプレイ１０２Ａの画素Ｇ１から出力された光は、被照射側から表示媒体２１に入射する。そして、画素Ｇ１から出力された光のうち、赤の波長の光は感光層２０５ＢＧにおいて光電効果を生じさせる。すると、表示層２０４Ｒにおいて感光層２０５ＢＧで光電効果が生じた領域の上方に位置する部分では、印加される電圧が増加してＶｒ１とＶｒ２の間の電圧になり、コレステリック液晶の配向状態がフォーカルコニック相に移行して点Ｐ１の部分は赤の光を透過する状態となる。
また、画素から出力された光のうち、青緑の波長の光は感光層２０５Ｒにおいて光電効果を生じさせる。すると、表示層２０４Ｂと表示層２０４Ｇにおいて感光層２０５Ｒで光電効果が生じた領域の上方に位置する部分では、印加される電圧が増加してＶｇ１とＶｂ２の間の電圧になり、コレステリック液晶の配向状態がフォーカルコニック相に移行し、表示層２０４Ｂの点Ｐ１の部分は青の光を透過し、表示層２０４Ｇの点Ｐ１の部分は緑の光を透過する状態となる。
つまり、点Ｐ１の部分においては、外光が反射せず透過する。スタイラスペン３で画像を追記する際には、追記前の画像を乱すことなく画像を追記する必要がある。このように、表示層に分圧される電圧が光の照射により第１閾値をまたぐように光が照射されることで追記前の画像を乱すことなく画像の追記が可能となる。
【００４３】
次に、使用者がスタイラスペン３を点Ｐ１の位置から図７の点Ｐ２の位置に移動させると、点Ｐ２位置を示す位置信号が制御部１０１で取得される。制御部１０１は、この位置信号を基にして、液晶ディスプレイ１０２Ａにおいて点Ｐ２と点Ｐ１を結ぶ線の下方にある画素群を特定する。制御部１０１は、この特定した画素群から光が出力されるように液晶ディスプレイ１０２Ａを制御する。ここで、画素群は、コレステリック液晶の配向状態を変化させて且つ配向状態を安定させるのに必要な時間の間、光を出力し、この時間が経過すると光の出力が停止されるように制御される。つまり、光出力部１０２と制御部１０１は、表示媒体２１へ光を照射する光照射手段として機能する。画素群から出力された光が表示媒体２１に到達して表示層のコレステリック液晶の配向状態が変化すると、画素Ｇ１から光が出力された時と同様に、表示媒体２１において画素群の上方に位置する部分は、外光が反射せずに透過する。
【００４４】
次に、使用者がスタイラスペン３をタッチパネル２００から離すと、タッチパネル２００から位置信号が制御部１０１へ供給されなくなる。制御部１０１は、位置信号が供給されなくなると、電圧印加部１０３を制御し、端子２０３Ａ〜２０３Ｄへの電圧の印加を停止する（図６の時点ｔ２）。
【００４５】
制御部１０１は、端子２０３Ａ〜２０３Ｄへの電圧の印加を停止してから予め定められた期間が経過すると（図６の時点ｔ３）、電圧印加部１０３を制御し、時点ｔ１から時点ｔ２までの期間に印加していた直流電圧とは逆極性（第２極性）の直流電圧（負極性の直流電圧）を端子２０３Ａ〜２０３Ｄへ印加する。なお、制御部１０１は、逆極性の直流電圧の時間積分の結果が、正極性の直流電圧の時点ｔ１から時点ｔ２までの時間積分の結果と同じとなるように、逆極性の直流電圧を印加する時間（以下、印加時間という）を決定する。また、逆極性の直流電圧の絶対値は、端子２０３Ａ、２０３Ｂに印加する電圧については、Ｖｂ３未満の電圧であり、端子２０３Ｃ、２０３Ｄに印加する電圧については、Ｖｒ３未満の電圧である。また、第１極性の電圧の印加を停止してから第２極性の電圧を印加するまでの期間は、０秒を超える期間である。制御部１０１は、逆極性の直流電圧の印加時間が経過すると（図６の時点ｔ４）、電圧印加部１０３を制御して端子２０３Ａ〜２０３Ｄへの電圧の印加を停止する。
【００４６】
次に、使用者がスタイラスペン３をタッチパネル２００の点Ｐ３の位置に接触させると、スタイラスペン３が触れた位置を示す位置信号がタッチパネル２００から制御部１０１に供給される。制御部１０１は、この位置信号を取得すると、電圧印加部１０３を制御し、表示層２０４Ｂ，２０４Ｇに分圧される電圧をＶｂ３にする正極性の直流電圧の印加を端子２０３Ａ，２０３Ｂに対して開始する（図６の時点ｔ５）。また、制御部１０１は、電圧印加部１０３を制御し、表示層２０４Ｒに印加される電圧をＶｒ３にする正極性の直流電圧の印加を端子２０３Ｃ，２０３Ｄに対して開始する（図６の時点ｔ５）。なお、制御部１０１は、負極性の直流電圧の印加を停止した時点ｔ４から予め定められた時間が経過した後に正極性の直流電圧の印加が行われるように電圧印加部１０３を制御する。ここで、第２極性の電圧の印加を停止してから第１極性の電圧を印加するまでの期間は、０秒を超える期間である。
【００４７】
また、制御部１０１は、この位置信号を基にして、液晶ディスプレイ１０２Ａにおいて点Ｐ３の下方にある画素を特定し、この画素から光が出力されるように液晶ディスプレイ１０２Ａを制御する。次に、使用者がスタイラスペン３を点Ｐ３の位置から点Ｐ４の位置に移動させると、点Ｐ４の位置を示す位置信号が制御部１０１で取得される。制御部１０１は、この位置信号を基にして、液晶ディスプレイ１０２Ａにおいて点Ｐ３と点Ｐ４を結ぶ線の下方にある画素群を特定する。制御部１０１は、この特定した画素群から光が出力されるように液晶ディスプレイ１０２Ａを制御する。すると、各表示層において点Ｐ３の位置から点Ｐ４の位置の間にあるコレステリック液晶の配向状態が変化する。これにより、点Ｐ３の位置から点Ｐ４までの間の部分は、外光が反射せずに透過する。
【００４８】
次に、使用者がスタイラスペン３をタッチパネル２００から離すと、タッチパネル２００から位置信号が制御部１０１へ供給されなくなる。制御部１０１は、位置信号が供給されなくなると、電圧印加部１０３を制御し、端子２０３Ａ〜２０３Ｄへの電圧の印加を停止する（図６の時点ｔ６）。
【００４９】
制御部１０１は、端子２０３Ａ〜２０３Ｄへの電圧の印加を停止してから予め定められた時間が経過すると（図６の時点ｔ７）、電圧印加部１０３を制御し、時点ｔ５から時点ｔ６までの期間に印加していた直流電圧とは逆極性の直流電圧を端子２０３Ａ〜２０３Ｄへ印加する。なお、制御部１０１は、逆極性の直流電圧の時間積分の結果と、正極性の直流電圧の時点ｔ５から時点ｔ６までの時間積分との結果と同じとなるように、逆極性の直流電圧の印加時間を決定する。制御部１０１は、逆極性の直流電圧の印加時間が経過すると（図６の時点ｔ８）、電圧印加部１０３を制御して端子２０３Ａ〜２０３Ｄへの電圧の印加を停止する。
【００５０】
以後、使用者がスタイラスペン３をタッチパネル２００に接触させて移動させる毎に、上述したように正極性の直流電圧が端子２０３Ａ〜２０３Ｄへ印加され、使用者がスタイラスペン３をタッチパネル２００から離すと、上述したように正極性の直流電圧の印加を終了してから予め定められた期間が経過した後で逆極性の直流電圧が端子２０３Ａ〜２０３Ｄへ印加される。
【００５１】
正極性の直流電圧が表示層に印加され続けると、コレステリック液晶のプラスイオンがマイナス側に偏在し、マイナスイオンがプラス側に偏在する。また、負極性の直流電圧を表示層に印加せずに正極性の直流電圧を繰り返し表示層に印加しても、コレステリック液晶のプラスイオンがマイナス側に偏在し、マイナスイオンがプラス側に偏在する。負極性の直流電圧を表示層に印加しない構成の場合、このように、コレステリック液晶の各イオンが偏在すると、スタイラスペン３で手書きの画像を表示させる際に分圧されて表示層に掛かる電圧は変位したイオンの影響により低下する。
具体的には、スタイラスペン３によって手書きの画像を表示させる場合、電圧印加部１０３は、表示層２０４Ｂ，２０４Ｇに分圧される電圧をＶｂ３にする正極性の直流電圧を端子２０３Ａ，２０３Ｂに印加し、表示層２０４Ｒに印加される電圧をＶｒ３にする正極性の直流電圧を端子２０３Ｃ，２０３Ｄに印加するが、イオンが変位して表示層に掛かる電圧が低下すると、実際に表示層２０４Ｂ，２０４Ｇに分圧される電圧は、Ｖｂ３以下の電圧になり、表示層２０４Ｒに印加される電圧は、Ｖｒ３以下の電圧となる。
【００５２】
表示層に掛かる電圧が低下すると、液晶ディスプレイ１０２Ａによって光を感光層に照射しても、表示層２０４Ｂと表示層２０４Ｇにおいては、光が照射された位置の電圧がＶｇ１以上とならなくなる場合が生じえる。光が照射された位置の電圧がＶｇ１以上とならなくなると、表示層２０４Ｇにおいては、コレステリック液晶の配向状態がフォーカルコニック相に移行せず、緑の光を反射する状態となってしまう。また、表示層２０４Ｒにおいても、表示層に掛かる電圧が低下すると、液晶ディスプレイ１０２Ａによって光を感光層に照射しても、光が照射された位置の電圧がＶｒ１以上とならなくなる場合が生じえる。光が照射された位置の電圧がＶｒ１以上とならなくなると、表示層２０４Ｒにおいては、コレステリック液晶の配向状態がフォーカルコニック相に移行せず、赤の光を反射する状態となってしまう。つまり、フォーカルコニック相に移行するように制御をしたつもりでも、赤と緑の光が透過せずに反射されてしまうこととなる。
【００５３】
これに対して本実施形態では、表示層のコレステリック液晶の配向状態を変えずに、イオンが偏在した状態となるのを抑えるため、正極性の直流電圧が表示層に印加された後に負極性の直流電圧を印加している。イオンが変位した状態の表示層に対して負極性の直流電圧を印加すると、コレステリック液晶のプラスイオンとマイナスイオンが、正極性の直流電圧によって変位していた側と反対側へ変位し、イオンの片寄りが解消または緩和される。イオンの片寄りが解消または緩和されると、分圧されて表示層に掛かる電圧が低下しなくなるため、スタイラスペン３で繰り返し追記が行われても、液晶ディスプレイ１０２Ａによって光が照射された位置においては、各表示層のコレステリック液晶が確実にフォーカルコニック相に移行することとなる。
【００５４】
［第２実施形態］
次に、本発明の第２実施形態について説明する。第２実施形態においては、表示媒体の構成が第１実施形態と異なる。以下の説明においては、第１実施形態と同じ構成については説明を省略し、第１実施形態との動作の相違点を説明する。
【００５５】
図８は、表示装置２が有する表示媒体２１Ａの断面を模式的に示した図である。表示媒体２１Ａにおいては、表示層の数が一つとなっている。表示層２０４は、コレステリック液晶や光を透過する樹脂など複数の材料からなる層であり、樹脂の中にコレステリック液晶が分散した構成となっている。本実施形態においては、表示層２０４は、可視光領域の光を反射し、コレステリック液晶がプレーナ相となっている場合には白に見える。感光層２０５は、電荷発生層２０５１，２０５３と電荷輸送層２０５２を有している。着色層２０６は、カーボンブラックにより黒に着色されていて光を吸収する。
【００５６】
図９は、導電層と感光層を介して表示層２０４全体に印加される電圧と表示層における光の正規化反射率との関係を示した図である。図９の曲線Ｗは、印加される電圧と表示層２０４における光の正規化反射率との関係を示したものである。
表示層２０４においてプレーナ相からフォーカルコニック相へ変化する時の電圧の閾値をＶｗ１、フォーカルコニック相からホメオトロピック相へ変化する時の電圧の閾値をＶｗ２とすると、電圧除去前に導電層と感光層とを介して印加されている電圧がＶｗ２以上の場合、電圧除去後にコレステリック液晶はプレーナ相となって外光を反射する。一方、電圧除去前に導電層と感光層とを介して印加されている電圧がＶｗ１とＶｗ２の間の電圧である場合には、電圧除去後にコレステリック液晶はフォーカルコニック相となって外光が透過する。
【００５７】
本実施形態においては、表示装置２が書込装置１に固定されると、電圧印加部１０３の端子と端子２０３Ａ、２０３Ｂが電気的に接続されると共に、インターフェース部１０５と端子２００Ａが接続される。これにより、書込装置１から端子２０３Ａ、２０３Ｂを介して導電層２０２Ａ、２０２Ｂへ電圧を印加することが可能となる。また、タッチパネル２００から出力される信号を制御部１０１が受け取ることが可能となる。
【００５８】
また、スタイラスペン３で画像を追記する際には、制御部１０１は、電圧印加部１０３を制御し、表示層２０４に分圧される電圧をＶｗ３にする正極性（第１極性）の直流電圧の印加を端子２０３Ａ、２０３Ｂに対して開始する。また、制御部１０１は、位置信号に応じて液晶ディスプレイ１０２Ａを制御する。例えば、スタイラスペン３がタッチパネル２００において図７に示した点Ｐ１の位置に触れると、点Ｐ１の位置を示す位置信号が制御部１０１に供給される。制御部１０１は、この位置信号を基にして、液晶ディスプレイ１０２Ａにおいて点Ｐ１の下方にある画素Ｇ１を特定し、この画素Ｇ１から光が出力されるように液晶ディスプレイ１０２Ａを制御する。なお、画素Ｇ１は、本実施形態においては、コレステリック液晶の配向状態を変化させ、且つ配向状態を安定させるのに必要な時間だけ光を出力し、この時間が経過すると光の出力が停止されるように制御される。
【００５９】
液晶ディスプレイ１０２Ａの画素Ｇ１から出力された光は、被照射側から表示媒体２１に入射する。そして、画素Ｇ１から出力された光は感光層２０５において光電効果を生じさせる。すると、表示層２０４において感光層２０５で光電効果が生じた領域の上方に位置する部分では、印加される電圧が増加してＶｗ１とＶｗ２の間の電圧になり、コレステリック液晶の配向状態がフォーカルコニック相に移行して点Ｐ１の部分は外光を透過する状態となる。
つまり、点Ｐ１の部分においては、外光が反射せず透過し、外光が着色層２０６で吸収されるため、点Ｐ１の下方の部分は黒として使用者に視認される。スタイラスペン３で画像を追記する際には、追記前の画像を乱すことなく画像を追記する必要がある。このように、表示層に分圧される電圧が光の照射により第１閾値をまたぐように光が照射されることで追記前の画像を乱すことなく画像の追記が可能となる。
【００６０】
次に、使用者がスタイラスペン３をタッチパネル２００から離すと、タッチパネル２００から位置信号が制御部１０１へ供給されなくなる。制御部１０１は、位置信号が供給されなくなると、電圧印加部１０３を制御し、端子２０３Ａ、２０３Ｂへの電圧の印加を停止する。
【００６１】
制御部１０１は、端子２０３Ａ、２０３Ｂへの電圧の印加を停止してから予め定められた期間が経過すると、電圧印加部１０３を制御し、印加していた第１極性の直流電圧とは逆極性（第２極性）の直流電圧（負極性の直流電圧）を端子２０３Ａ、２０３Ｂへ印加する。なお、制御部１０１は、逆極性の直流電圧の時間積分の結果が、正極性の直流電圧の時間積分の結果と同じとなるように、逆極性の直流電圧を印加する時間を決定する。また、逆極性の直流電圧の絶対値は、端子２０３Ａ、２０３Ｂに印加する電圧については、Ｖｗ３未満の電圧である。制御部１０１は、逆極性の直流電圧の印加時間が経過すると、電圧印加部１０３を制御して端子２０３Ａ、２０３Ｂへの電圧の印加を停止する。
【００６２】
本実施形態においても、正極性の直流電圧が表示層に印加された後に負極性の直流電圧を印加している。イオンが変位した状態の表示層に対して負極性の直流電圧を印加すると、コレステリック液晶のプラスイオンとマイナスイオンが、正極性の直流電圧によって変位していた側と反対側へ変位し、イオンの片寄りが解消または緩和される。イオンの片寄りが解消または緩和されると、分圧されて表示層に掛かる電圧が低下しなくなるため、スタイラスペン３で繰り返し追記が行われても、液晶ディスプレイ１０２Ａによって光が照射された位置においては、各表示層のコレステリック液晶が確実にフォーカルコニック相に移行することとなる。
【００６３】
［第３実施形態］
次に、本発明の第３実施形態について説明する。第３実施形態に係る書込装置１は、位置信号がタッチパネル２００から出力されなくなった時の動作が第１実施形態と異なり、第１実施形態と比較してハードウェア構成は同じである。以下の説明においては、第１実施形態と同じ構成については説明を省略し、第１実施形態との動作の相違点を説明する。
【００６４】
まず、表示媒体２１の画面を初期化する操作がタッチパネル１０６Ｂにおいて行われると、第１実施形態と同様に、表示層２０４Ｂ、表示層２０４Ｇおよび表示層２０４Ｒのコレステリック液晶の配向状態がプレーナ相にされる。次に使用者がタッチパネル１０６Ｂを操作し、手書きの画像の書き込み開始を指示する操作を行うと、制御部１０１は、タッチパネル２００から供給される位置信号に応じて電圧印加部１０３と光出力部１０２を制御する。
【００６５】
図１０（ａ）は、電圧印加部１０３が端子２０３Ａ、２０３Ｂに印加する電圧の波形を示した図であり、図１０（ｂ）は、電圧印加部１０３が端子２０３Ｃ、２０３Ｄに印加する電圧の波形を示した図である。また、図１０（Ｃ）は、液晶ディスプレイ１０２Ａが光を照射している期間を示した図である。
使用者がスタイラスペン３をタッチパネル２００に接触させると、スタイラスペン３が接触した位置に応じて第１実施形態と同様に電圧印加部１０３と液晶ディスプレイ１０２Ａが制御されて表示層２０４Ｂ、表示層２０４Ｇおよび表示層２０４Ｒのコレステリック液晶の配向状態が変更される（図１０の時点ｔ１１）。
次に、使用者がスタイラスペン３を移動させると、第１実施形態と同様にスタイラスペン３が移動した位置に応じて表示層２０４Ｂ、表示層２０４Ｇおよび表示層２０４Ｒのコレステリック液晶の配向状態が変更される。
【００６６】
次に、使用者がスタイラスペン３をタッチパネル２００から離すと、タッチパネル２００から位置信号が制御部１０１へ供給されなくなる。制御部１０１は、位置信号が供給されなくなると、電圧印加部１０３を制御し、端子２０３Ａ〜２０３Ｄへの電圧の印加を停止させる。また、制御部１０１は、液晶ディスプレイ１０２Ａを制御し、液晶ディスプレイ１０２Ａから表示媒体２１への光の照射を停止させる（図１０の時点ｔ１２）。
【００６７】
制御部１０１は、端子２０３Ａ〜２０３Ｄへの電圧の印加を停止してから予め定められた時間が経過すると（図１０の時点ｔ１３）、液晶ディスプレイ１０２Ａを制御し、各感光層の全面に予め定められた光量の光を照射する。すると感光層で光電効果が生じ、コレステリック液晶のプラスイオンとマイナスイオンが、正極性の直流電圧によって変位していた側と反対側へ変位し、イオンの偏在が解消または緩和される。なお、液晶ディスプレイ１０２Ａが光を照射する期間（ｔ１３からｔ１４までの期間）は、正極性の直流電圧が印加されていた時間に応じて、イオンの偏在が解消または緩和されるのに十分な期間に決定される。
【００６８】
次に、使用者がスタイラスペン３を再度タッチパネル２００に接触させると、スタイラスペン３が接触した位置に応じて第１実施形態と同様に電圧印加部１０３と液晶ディスプレイ１０２Ａが制御されて表示層２０４Ｂ、表示層２０４Ｇおよび表示層２０４Ｒのコレステリック液晶の配向状態が変更される（図１０の時点ｔ１５）。次に、使用者がスタイラスペン３を移動させると、第１実施形態と同様にスタイラスペン３が移動した位置に応じて表示層２０４Ｂ、表示層２０４Ｇおよび表示層２０４Ｒのコレステリック液晶の配向状態が変更される。
【００６９】
次に、使用者がスタイラスペン３をタッチパネル２００から離すと、タッチパネル２００から位置信号が制御部１０１へ供給されなくなる。制御部１０１は、位置信号が供給されなくなると、電圧印加部１０３を制御し、端子２０３Ａ〜２０３Ｄへの電圧の印加を停止する。また、制御部１０１は、液晶ディスプレイ１０２Ａを制御し、液晶ディスプレイ１０２Ａから表示媒体２１への光の照射を停止させる（図１０の時点ｔ１６）。
【００７０】
制御部１０１は、端子２０３Ａ〜２０３Ｄへの電圧の印加を停止してから予め定められた時間が経過すると（図１０の時点ｔ１７）、液晶ディスプレイ１０２Ａを制御し、光電効果を発生させる光量の光を各感光層の全面に照射する。すると感光層で光電効果が生じ、コレステリック液晶のプラスイオンとマイナスイオンが、正極性の直流電圧によって変位していた側と反対側へ変位し、イオンの偏在が解消または緩和される。
なお、ここで時点ｔ１５から時点ｔ１６までの期間が、時点ｔ１１から時点ｔ１２までの期間より短い場合には、液晶ディスプレイ１０２Ａから感光層へ光を照射する時間は、時点ｔ１３から時点ｔ１４までの期間より短くなる。一方、時点ｔ１５から時点ｔ１６までの期間が、時点ｔ１１から時点ｔ１２までの期間より長かった場合には、液晶ディスプレイ１０２Ａから感光層へ光を照射する時間は、時点ｔ１３から時点ｔ１４までの期間より長くなる。
【００７１】
以上説明したように、本実施形態においても、正極性の直流電圧によって変位していたイオンの偏在が解消または緩和されるので、電圧印加部１０３から同じ正極性の直流電圧を繰り返し印加しても、分圧されて表示層に掛かる電圧が低下しなくなる。このため、液晶ディスプレイ１０２Ａによって光が照射された位置においては、各表示層のコレステリック液晶が確実にフォーカルコニック相に移行することとなる。
【００７２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００７３】
上述した第１実施形態では、負極性の直流電圧を端子２０３Ａ〜２０３Ｄに印加する際、負極性の直流電圧を印加する直前に印加した正極性の直流電圧の時間積分の結果に応じて負極性の直流電圧の印加時間を制御しているが、正極性の直流電圧の時間積分の結果と、負極性の印加電圧の時間積分の結果とが同じとなるように、印加時間を一定とし印加電圧の電圧値を制御するようにしてもよい。また、負極性の直流電圧を端子２０３Ａ〜２０３Ｄに印加する際、負極性の直流電圧を印加する直前に印加した正極性の直流電圧の時間積分の結果に応じて、印加時間と印加電圧の電圧値の両方を制御するようにしてもよい。
なお、負極性の直流電圧を印加する構成においては、負極性の直流電圧を印加する際には、負極性の直流電圧の時間積分の結果が正極性の直流電圧の時間積分の結果と同じとなるように印加時間を制御している。しかしながら、同じとなるように制御する構成に限定されるものではなく、正極性の直流電圧が印加されていた時間に応じて、イオンの偏在が解消または緩和されるのに十分な時間であればよく、例えば負極性の直流電圧の時間積分の結果が正極性の直流電圧の時間積分の結果より大きくなるように制御してもよい。
【００７４】
本発明においては、逆極性の直流電圧を印加中にスタイラスペン３がタッチパネル２００に触れた際には、逆極性の直流電圧の印加を停止し、一定時間が経過してから正極性の直流電圧の印加を開始してもよい。
【００７５】
上述した第３実施形態では、スタイラスペン３がタッチパネル２００から離れた後で感光層に光を照射する際、一定の光量の光を液晶ディスプレイ１０２Ａから照射し、光の照射時間を光を照射する前に印加されていた正極性の直流電圧の印加期間に応じて変更している。これに対し、第３実施形態の変形例に係る書込装置１においては、直流電圧を印加していない期間に電圧印加部１０３から光を照射する際、光の照射時間を一定にし、正極性の直流電圧の印加期間に応じて照射する光の光量を変更してもよい。例えば、書込装置１は、正極性の直流電圧の印加期間が長くなるにつれて光の光量を多くし、正極性の直流電圧の印加期間が短くなるにつれて光の光量を少なくする。
【００７６】
書込装置１において表示媒体２１の被照射側に光を照射するのは、液晶ディスプレイ１０２Ａに限定されるものではない。発光ダイオードを面状に並べ、位置信号に応じて発光ダイオードを点灯させて被照射側に光を照射してもよい。また、液晶ディスプレイ１０２Ａに替えて、有機ＥＬ（electroluminescence）ディスプレイなどの電圧をかけると発光する物質を利用したディスプレイ装置であってもよい。また、液晶ディスプレイであっても、光源のバックライトとして赤、緑、青の三色の光を切り替えられるバックライトを有し、画素が光を透過するか否かのモノクロのタイプの液晶ディスプレイであってもよい。
また、面発光型のディスプレイ装置（たとえばＣＲＴ（Cathode Ray Tube）、ＰＤＰ（Plasma Display Panel）、ＦＥＤ（Field Emission Display）、ＳＥＤ（Surface-conduction Electron-emitter Display））などで表示媒体２１に光を照射してもよい。
【００７７】
上述した実施形態では、表示層の数は三つとなっているが、表示媒体２１においては、二つの表示層を備える構成であってもよい。
また、表示層が反射する光は、上述した実施形態に記載した光に限定されず、他の波長の光（他の色の光）であってもよい。
【００７８】
上述した実施形態では、スタイラスペン３の位置を検知するためのタッチパネルは、表示媒体２１の表面に配置されているが、スタイラスペン３の位置を検知するためのタッチパネルは、表示装置２ではなく、書込装置１に配置されていてもよい。
タッチパネルを書込装置１に配置する場合、書込装置１の表面に液晶ディスプレイ１０２Ａと距離をおいてタッチパネルを配置し、タッチパネルと液晶ディスプレイ１０２Ａとの間に表示装置２を挿入する構成とすれば、表示装置２の被照射側へ液晶ディスプレイ１０２Ａの光を照射し、表示面側でスタイラスペン３を動かして表示装置２に画像を表示させることができる。
【００７９】
なお、上述した実施形態では、タッチパネルを用いてスタイラスペン３の位置を検知しているが、スタイラスペン３の位置を検知する構成は抵抗膜式のタッチパネルに限定されるものではなく、電磁誘導方式でスタイラスペン３の位置を検知してもよい。その場合は、液晶ディスプレイ１０２Ａの背面側に電磁誘導シートを配置できる。
また、所謂タブレットを書込装置１に設け、表示装置２の表面ではなく、このタブレット上でスタイラスペン３を移動させ、この位置に応じて液晶ディスプレイ１０２Ａから表示媒体２１への光の照射位置を制御してもよい。
【００８０】
上述した実施形態では、スタイラスペン３はペンの形状をしているが、タッチパネル２００に接触して画素の発光位置を指定できるものであればペンの形状に限定されるものではなく、他の形状であってもよい。また、スタイラスペン３ではなく指でタッチパネル２００に触れて画像の書き込みを行うようにしてもよい。つまり本明細書においては、操作子はスタイラスペン３に限定されるものではなく、表示を変化させる部分を指定するものを含む広い概念である。
【００８１】
電圧印加部１０３が印加する負極性の直流電圧の波形は、矩形波に限定されるものではなく、サイン波や三角波など他の波形であってもよい。
【符号の説明】
【００８２】
１・・・書込装置、２・・・表示装置、３・・・スタイラスペン、２１・・・表示媒体、１０１・・・制御部、１０２・・・光出力部、１０２Ａ・・・液晶ディスプレイ、１０３・・・電圧印加部、１０５・・・インターフェース部、１０６・・・操作部、２００・・・タッチパネル、２００Ａ・・・端子、２０１Ａ〜２０１Ｃ・・・基板層、２０２Ａ〜２０２Ｄ・・・導電層、２０３Ａ〜２０３Ｄ・・・端子、２０４Ｂ，２０４Ｇ，２０４Ｒ・・・表示層、２０５ＢＧ，２０５Ｒ・・・感光層、２０６ＢＧ，２０６Ｒ・・・着色層、２０７・・・ラミネート層
【図１】
2011118199.tif 000003
【図２】
2011118199.tif 000004
【図３】
2011118199.tif 000005
【図４】
2011118199.tif 000006
【図５】
2011118199.tif 000007
【図６】
2011118199.tif 000008
【図７】
2011118199.tif 000009
【図８】
2011118199.tif 000010
【図９】
2011118199.tif 000011
【図１０】
2011118199.tif 000012